(57)【要約】【課題】１つの室内機に対して１つの室外機が備えられた冷媒系を複数有し、それぞれの冷媒系の配管は独立している空気調和システムであっても、細かな空気調和制御によって従来よりも省電力化が可能な空気調和システムを得ること。【解決手段】１つの室内機５Ａ，５Ｂ，５Ｃに対応する１つの室外機４Ａ，４Ｂ，４Ｃが通信線１Ａ，１Ｂ，１Ｃと冷媒配管７Ａ，７Ｂ，７Ｃで接続された冷媒系３Ａ，３Ｂ，３Ｃを複数有し、それぞれの冷媒系の配管は独立しており、１つのリモコン６を備える空気調和システムであって、室内機５Ａ，５Ｂ，５Ｃのそれぞれは、人感センサ２Ａ，２Ｂ，２Ｃを備え、人感センサ２Ａ，２Ｂ，２Ｃの検知情報を含む制御情報をリモコン６に送信する機能を有し、リモコン６は不在と判定する設定を記憶し、該設定と人感センサ２Ａ，２Ｂ，２Ｃの検知情報をもとに室内機５Ａ，５Ｂ，５Ｃのそれぞれを制御し、冷媒系のすべてを停止可能とする。【選択図】図１
2014142105.tif 000002
【特許請求の範囲】
【請求項１】
１つの室内機に対応する１つの室外機が通信線と冷媒配管で接続された冷媒系を複数有し、それぞれの冷媒系の配管は独立しており、１つのリモコンを備える空気調和システムであって、
前記室内機のそれぞれは、人感センサを備え、該人感センサの検知情報を含む制御情報を前記リモコンに送信する機能を有し、
前記リモコンは不在と判定する設定を記憶し、該設定と前記人感センサの検知情報をもとに前記室内機のそれぞれを制御し、前記冷媒系のすべてを停止可能とすることを特徴とする空気調和システム。
【請求項２】
前記リモコンは、不在と判定する不在停止時間を記憶し、該不在停止時間と前記人感センサの前記検知情報を対比して不在と判定した場合には、該室内機を含む冷媒系の運転を自動停止することを特徴とする請求項１に記載の空気調和システム。
【請求項３】
前記リモコンが行う前記判定は一定の周期で繰り返し行われ、
前記周期は、前記不在停止時間よりも短いことを特徴とする請求項２に記載の空気調和システム。
【発明の詳細な説明】
【技術分野】
【０００１】
本発明は、空気調和システムに関する。
【背景技術】
【０００２】
従来から、人感センサ（赤外線センサ等）を搭載した室内機を備える空気調和システムが知られている。人感センサを搭載した室内機を備える空気調和システムでは、空調空間における人の存否を検知し、不在時には空気調和システムの運転を自動で停止可能であり、空調空間全体における消費電力を低減することができる。
【０００３】
例えば、特許文献１には、「同一室内空間に設置された３台の空気調和機Ａの制御部１７を通信線２０で接続し、これら空気調和機の制御部のそれぞれが同一空間にある他の全ての空気調和機の人感センサー１６の検知情報、リモコン１８の設定温度情報及び吸込温度センサー１５の吸込温度情報を把握でき、これらの情報に基づいて、各制御部がそれぞれの空調対象空間の空調負荷及びこれらの空調対象空間に基づく空調空間全体の空調負荷を同じように算出し、その算出結果に基づいて圧縮機を駆動制御して空調空間全体の省電力運転を行う」技術が開示されている。なお、該空気調和システムでは、１つの室内機に対して１つの室外機が備えられた冷媒系を複数有し、それぞれの冷媒系の配管は独立している。
【先行技術文献】
【特許文献】
【０００４】
【特許文献１】特開２０１０−１５９９０５号公報
【発明の概要】
【発明が解決しようとする課題】
【０００５】
しかしながら、上記従来の技術によれば、リモコンが接続された室内機（代表機）に搭載された人感センサにおいて人の不在を検知したとしても、該室内機を停止させることができなかった。そのため、空調空間全体に対する細かな空気調和制御ができていない、という問題があった。
【０００６】
本発明は、上記に鑑みてなされたものであって、１つの室内機に対して１つの室外機が備えられた冷媒系を複数有し、それぞれの冷媒系の配管は独立している空気調和システムであっても、各冷媒系の制御情報をリモコンにより収集し、各冷媒系の室内機のそれぞれをリモコンから個別制御可能とし、細かな空気調和制御によって従来よりも省電力化が可能な空気調和システムを得ることを目的とする。
【課題を解決するための手段】
【０００７】
上述した課題を解決し、目的を達成するために、本発明の空気調和システムは、１つの室内機に対応する１つの室外機が通信線と冷媒配管で接続された冷媒系を複数有し、それぞれの冷媒系の配管は独立しており、１つのリモコンを備える空気調和システムであって、前記室内機のそれぞれは、人感センサを備え、該人感センサの検知情報を含む制御情報を前記リモコンに送信する機能を有し、前記リモコンは不在と判定する設定を記憶し、該設定と前記人感センサの検知情報をもとに前記室内機のそれぞれを制御し、前記冷媒系のすべてを停止可能とすることを特徴とする。
【発明の効果】
【０００８】
本発明によれば、代表機となる室内機を停止させることができ、空調空間全体に対する細かな空気調和制御ができ、より省電力化できるという効果を奏する。
【図面の簡単な説明】
【０００９】
【図１】図１は、実施の形態にかかる空気調和システムの構成の一例を示す図である。
【図２】図２は、実施の形態にかかる空気調和システムの構成が備えるリモコンの人感センサ制御設定モードにおける画面の例を示す図である。
【図３】図３は、実施の形態にかかる空気調和システムの構成におけるリモコンと室内機の間の不在停止時の制御の一例を示す図である。
【図４】図４は、実施の形態にかかる空気調和システムの構成におけるリモコンの判定動作を説明するフローチャートを示す図である。
【発明を実施するための形態】
【００１０】
以下に、本発明にかかる空気調和システムの実施の形態を図面に基づいて詳細に説明する。なお、この実施の形態によりこの発明が限定されるものではない。
【００１１】
実施の形態．
図１は、本発明にかかる空気調和システムの実施の形態の構成の一例を示す図である。図１に示す空気調和システムは、３つの冷媒系（第１の冷媒系３Ａ，第２の冷媒系３Ｂ，第３の冷媒系３Ｃ）によって構成されている。
【００１２】
第１の冷媒系３Ａでは、室外機４Ａと室内機５Ａが冷媒配管７Ａ及び通信線１Ａにより接続され、第２の冷媒系３Ｂでは、室外機４Ｂと室内機５Ｂが冷媒配管７Ｂ及び通信線１Ｂにより接続され、第３の冷媒系３Ｃでは、室外機４Ｃと室内機５Ｃが冷媒配管７Ｃ及び通信線１Ｃにより接続されている。
【００１３】
室内機５Ａは人感センサ２Ａを備え、室内機５Ｂは人感センサ２Ｂを備え、室内機５Ｃは人感センサ２Ｃを備える。
【００１４】
リモコン６は、通信線１，通信線１ＡＢ，通信線１ＢＣを介して、室内機５Ａ，室内機５Ｂ，室内機５Ｃに接続されており、人感センサ２Ａ〜２Ｃの検知情報を含む制御情報を取得する。
【００１５】
従来の人感センサにより人の不在を検知して動作を制御する空気調和システムでは、リモコンが接続された代表機を停止させると空気調和システム全体の動作が停止してしまうため、代表機の人感センサが不在を検知しても代表機を停止させることはできなかった。
【００１６】
しかしながら、このように、各冷媒系がリモコン６に対して並列に接続され、リモコン６が人感センサ２Ａ〜２Ｃの検知情報を含む制御情報を取得する構成とすることで、人感センサの検知情報に基づいて代表機を含むすべての室内機を冷媒系統ごとに個別に停止させることができる。そのため、空調空間全体に対する細かな制御ができ、従来よりも省電力化が可能な空気調和システムを実現することができる。
【００１７】
図２は、本発明にかかる空気調和システムの実施の形態の構成が備えるリモコン６の人感センサ制御設定モードにおける画面の例を示す図である。
【００１８】
人感センサ制御設定モードにおいて、リモコン６では、「人感不在制御設定」を選択し、各冷媒アドレスにおける「不在停止」時間を設定する。
【００１９】
ここで、冷媒アドレスとは、それぞれの冷媒系が有する識別子をいい、例えば、第１の冷媒系３Ａには「１」を割り当て、第２の冷媒系３Ｂには「２」を割り当て、第３の冷媒系３Ｃには「３」を割り当てる。
【００２０】
そして、それぞれの冷媒アドレスについて、例えば冷媒アドレス「１」の「不在停止」時間を「５分」としたとき、人感センサ２Ａが人の存在を５分間検知しなければ、設定した「不在停止」時間に達しているため、第１の冷媒系３Ａの運転を自動停止させる。
【００２１】
図３は、本発明にかかる空気調和システムの実施の形態の構成におけるリモコンと室内機の間の不在停止時の制御の一例を示す図である。
【００２２】
第１乃至第３の冷媒系３Ａ〜３Ｃにおいて、室内機５Ａ〜５Ｃは、人感センサ２Ａ〜２Ｃの制御情報をリモコン６に対して送信する。
【００２３】
ここで、制御情報は、人が存在するかまたは不在であるかの情報であり、不在である場合には不在時間も含む。
【００２４】
リモコン６は、制御情報を参照して、人が存在せず、且つその時間が図２にて設定した「不在停止」時間を越えているか否かを判定し、越えている場合にのみ第１乃至第３の冷媒系３Ａ〜３Ｃの運転を停止させる信号を送信する（図４を参照）。
【００２５】
ここで、代表機を含む冷媒系は第１の冷媒系３Ａであるが、人感センサ２Ａが不在を検知した場合には、リモコン６は第１の冷媒系３Ａを自動停止させる。人感センサ２Ｂ，２Ｃが不在を検知していない場合には、リモコン６は、第２の冷媒系３Ｂ，第３の冷媒系３Ｃの運転を継続させるよう制御する。
【００２６】
図４は、本発明にかかる空気調和システムの実施の形態の構成におけるリモコン６の判定動作を説明するフローチャートを示す。
【００２７】
まず、リモコン６の判定動作をスタートし（Ｓ１１）、室内機５Ａ〜５Ｃから制御情報を受信する（Ｓ１２）。
【００２８】
室内機５Ａ〜５Ｃからの制御情報は、人感センサ２Ａ〜２Ｃにて検知したものである。制御情報を受信したリモコン６は、制御情報を参照し、「人感不在制御設定」と制御情報を比較し、不在停止制御条件を満たす冷媒アドレスの有無を判定する（Ｓ１３）。
【００２９】
ここで、不在停止制御条件は、人が不在であって、不在時間が設定した各冷媒アドレスにおける「不在停止」時間を越えているか否かにより定められる。
【００３０】
不在時間が、各冷媒アドレスにおける設定した「不在停止」時間を越えている冷媒アドレスが存在する場合（Ｓ１３においてＹｅｓ）には、該冷媒アドレスの室内機に対して運転を停止させる信号を送信し（Ｓ１４）、該冷媒アドレスの室内機を停止させる。
【００３１】
その後、リモコン６の判定動作を終了する（Ｓ１５）。
【００３２】
一方、人感センサが人の存在を検知した場合、または検知した不在時間が設定した「不在停止」時間を越えていない場合にもリモコン６の判定動作を終了する（Ｓ１５）。
【００３３】
なお、上記では１回の判定動作のみを説明したが、実際には、空気調和システムの動作中、図４に示す判定動作を一定周期で繰り返すものとする。ここで、細かな制御を行うためには、判定動作を繰り返す一定の周期は、設定した「不在停止」時間よりも短くすることが好ましい。例えば、一定の周期を１分とし、設定した「不在停止」時間を５分とすればよく、好ましくは、このように「不在停止」時間中に複数回の判定を行う。
【００３４】
以上説明したように、本発明の空気調和システムは、室内機近傍において、設定した一定時間以上人が不在である場合には、自動で運転を停止するため、消費電力を削減することができる。
【産業上の利用可能性】
【００３５】
以上のように、本発明にかかる空気調和システムは、複数の冷媒系を有する場合に有用である。
【符号の説明】
【００３６】
１，１Ａ，１Ｂ，１Ｃ，１ＡＢ，１ＢＣ  通信線、２Ａ，２Ｂ，２Ｃ  人感センサ、３Ａ  第１の冷媒系、３Ｂ  第２の冷媒系、３Ｃ  第３の冷媒系、４Ａ，４Ｂ，４Ｃ  室外機、５Ａ，５Ｂ，５Ｃ  室内機、６  リモコン、７Ａ，７Ｂ，７Ｃ  冷媒配管。
【図１】
2014142105.tif 000003
【図２】
2014142105.tif 000004
【図３】
2014142105.tif 000005
【図４】
2014142105.tif 000006